(57)【要約】【課題】  ＩＣタグを用いた申し込みのためのデータ送信を支援するための技術を提供する。【解決手段】  製品などに付されて配布されたＩＣタグ２００には、応募、ユーザー登録などの申し込みをインターネット上で行うためのデータが記録されている。通信端末装置１は、リーダー部１０２によりそのデータを読み取ると、そのデータ中のＵＲＬで指定されたサイトに自動的にアクセスし、そのサイトから送信される応募フォームを表示部１０７に表示させる。そのフォーム上に配置されたシリアルコード入力用のエリアには、ＩＣタグ２００から読み取ったデータ中のシリアルコードを自動的に入力する。それにより、インターネットを介した応募の申し込みを支援する。【選択図】      図１
2005285068.tif 000002
【特許請求の範囲】
【請求項１】
通信ネットワークと接続可能なデータ処理装置のユーザーが懸賞への応募の申し込み、商品購入の申し込み、及び個人登録の申し込みのうちの一つを行うためのデータ送信を支援するための方法であって、
前記データ送信を実現させるための送信用データをＩＣタグに記録させて前記商品、書籍、或いは公告などの媒体に付して配布し、
前記媒体に付した前記ＩＣタグに記録されている送信用データを前記データ処理装置に取得させたユーザーに、該送信用データに基づく必要事項のデータの入力を要求し、該要求によりユーザーが入力した必要事項のデータを前記データ送信により該データ処理装置に前記通信ネットワークを介して送信させる、
ことを特徴とするデータ送信支援方法。
【請求項２】
前記ＩＣタグに記録した前記送信用データは、前記データ処理装置にアクセスさせる前記通信ネットワーク上のリソース、及び前記データ送信により送信するデータの送信先を示すアドレスの少なくとも一方を含み、
前記ＩＣタグに記録された送信用データを取得させた前記データ処理装置に、前記リソースにアクセスさせてのデータ送信、及び前記アドレスへのデータ送信を行わせる、
ことを特徴とする請求項１記載のデータ送信支援方法。
【請求項３】
前記ＩＣタグに記録した前記送信用データは、該ＩＣタグ毎に異なるシリアルコードを含み、
前記ＩＣタグに記録された送信用データを取得させた前記データ処理装置に、前記データ送信で前記シリアルコードを自動的に送信させる、
ことを特徴とする請求項１、または２記載のデータ送信支援方法。
【請求項４】
メモリに記録されたデータを送信できるＩＣタグの配布方法において、
懸賞への応募の申し込み、商品購入の申し込み、及び個人登録の申し込みのうちの一つを行える無線ネットワーク上のリソース、及び該一つを行うためのデータの送信先のアドレスの少なくとも一方を示すアクセス先データ、及び該一つを行うためのシリアルコードを前記メモリに記録させ、
前記アクセス先データ、及びシリアルコードを記録させたＩＣタグを、商品、書籍、或いは公告などの媒体に付して配布する、
ことを特徴とするＩＣタグの配布方法。
【発明の詳細な説明】
【技術分野】
【０００１】
本発明は、通信ネットワークと接続可能なデータ処理装置のユーザーが懸賞への応募の申し込み、商品購入の申し込み、及び個人登録の申し込みのうちの一つを行うためのデータ送信を支援するための技術に関する。
【背景技術】
【０００２】
近年、情報インフラストラクチャとして通信ネットワークが急速に発展している。様々な通信ネットワークを結ぶグローバルな情報インストラクチャであるインターネットは、個人や企業が様々な目的で幅広く活用している。
【０００３】
一方、最近では、非接触で通信可能なＩＣタグが注目されている。それにより、現在では、バーコードに代わる商品識別・管理技術としてのみでなく、社会のＩＴ化や自動化を推進するうえでの基板技術としての研究が進められている。それに伴い、特許文献１、２にそれぞれ記載されたような用途に使われることも増えてきている。
【０００４】
特許文献１、２にそれぞれ記載されたＩＣタグは何れも、顧客への情報提供に用いられている。しかし、今後ＩＣタグは情報提供のみでなく、それ以外の用途にも使われていくと考えられる。
【０００５】
例えば製品（商品）のなかには、メーカーに対してユーザー登録が行えるものがある。そのユーザー登録は、製品を購入したユーザーが、メーカーに自分が購入者であると知らせる行為である。ソフトウェア製品のメーカーは、ユーザー登録を行った人に向けた優待サービスを提供しているのが普通である。不正利用を防止するためにも、ユーザー登録は製品購入後、速やかに行うのが望ましいとされている。
【０００６】
現在はインターネット接続環境が普及したために、殆どのメーカーはインターネットを介したユーザー登録に対応している。そのユーザー登録では、メーカーが開設したサイトにアクセスするか、或いはメーカーが指定のアドレス宛に電子メールを送信する必要がある。また、製品に付されたシリアルコード（ナンバー）を知らせるために入力しなくてはならない。このようなことから、インターネットを介したユーザー登録も面倒なのが実情である。このため、ユーザー登録をより容易に行えるようにすることも重要視すべきであると考えられる。
【０００７】
ＩＣタグには、製品毎に異なる情報を記録させることができる。その情報として、シリアルコード、及びアクセスすべきＵＲＬ、或いはアドレスなどをＩＣタグにより提供すれば、シリアルコードを入力する必要性は回避できるようになり、ユーザー登録のためのデータ送信は容易に行えるようになる。このようなことから、ＩＣタグの用途として、データ送信用も考慮すべきであると思われる。これは、インターネットを介して行う懸賞への応募や商品購入の申し込みなどでも同様であると考えられる。
【特許文献１】特開２００２−８３２５０号公報
【特許文献２】特開２００３−２５６７９５号公報
【発明の開示】
【発明が解決しようとする課題】
【０００８】
本発明の課題は、ＩＣタグを用いた申し込みのためのデータ送信を支援するための技術を提供することにある。
【課題を解決するための手段】
【０００９】
本発明のデータ送信支援方法は、通信ネットワークと接続可能なデータ処理装置のユーザーが懸賞への応募の申し込み、商品購入の申し込み、及び個人登録の申し込みのうちの一つを行うためのデータ送信を支援するための方法であって、データ送信を実現させるための送信用データをＩＣタグに記録させて商品、書籍、或いは公告などの媒体に付して配布し、媒体に付したＩＣタグに記録されている送信用データをデータ処理装置に取得させたユーザーに、該送信用データに基づく必要事項のデータの入力を要求し、該要求によりユーザーが入力した必要事項のデータをデータ送信により該データ処理装置に通信ネットワークを介して送信させる。
【００１０】
なお、上記ＩＣタグに記録した送信用データは、データ処理装置にアクセスさせる通信ネットワーク上のリソース、及びデータ送信により送信するデータの送信先を示すアドレスの少なくとも一方を含み、ＩＣタグに記録された送信用データを取得させたデータ処理装置に、リソースにアクセスさせてのデータ送信、及びアドレスへのデータ送信を行わせる、ことが望ましい。また、ＩＣタグに記録した送信用データは、該ＩＣタグ毎に異なるシリアルコードを含み、ＩＣタグに記録された送信用データを取得させたデータ処理装置に、データ送信でシリアルコードを自動的に送信させる、ことが望ましい。
【００１１】
本発明のＩＣタグの配布方法は、懸賞への応募の申し込み、商品購入の申し込み、及び個人登録の申し込みのうちの一つを行える無線ネットワーク上のリソース、及び該一つを行うためのデータの送信先のアドレスの少なくとも一方を示すアクセス先データ、及び該一つを行うためのシリアルコードをメモリに記録させ、アクセス先データ、及びシリアルコードを記録させたＩＣタグを、商品、書籍、或いは公告などの媒体に付して配布する。
【発明の効果】
【００１２】
本発明は、通信ネットワークを介して懸賞への応募の申し込み、商品購入の申し込み、及び個人登録の申し込みのうちの一つを行うための送信用データをＩＣタグに記録させて配布し、ＩＣタグに記録されている送信用データをデータ処理装置に取得させたユーザーに、その送信用データに基づく必要事項のデータの入力を要求し、その要求により入力した必要事項のデータを送信させる。
【００１３】
その送信用データとして、データ処理装置にアクセスさせる通信ネットワーク上のリソース（サイト）、及びデータ送信により送信するデータの送信先を示すアドレスの少なくとも一方が含まれる場合、リソースへのアクセス、或いは送信先の指定を容易に行えるようになる。それらを自動的、或いは半自動的に行わせることもできる。その送信用データとして、シリアルコードが含まれる場合には、そのシリアルコードの入力が必須の申し込みではその入力を自動的に行わせることができるようになる。このようなことから、何れにしても、データ処理装置のユーザーに対し、通信ネットワークを介した各種申し込みがより容易に行えるように支援することができる。
【発明を実施するための最良の形態】
【００１４】
以下、本発明の実施の形態について、図面を参照しながら詳細に説明する。
＜第１の実施の形態＞
図１は、通信ネットワークと接続可能なデータ処理装置、及びそのデータ処理装置がアクセス可能なＩＣタグの構成図である。そのデータ処理装置１は、携帯電話機、或いはＰＨＳなどの移動通信端末装置である。ここでは便宜的に携帯電話機であると想定し、「通信端末」と呼称することにする。
【００１５】
図１に示すように、その通信端末１は、アンテナＡＴ１を介して送受信する無線信号の周波数変換、及び変復調等を行う携帯電話用のＲＦ（Radio Frequency）部１０１と、ＩＣタグ２００と通信を行うためのリーダー部１０２と、そのリーダー部１０２を駆動制御するＩＣタグリーダー制御部（以降、「リーダー制御部」と略記）１０３と、端末全体の制御を行うＣＰＵ１０４と、そのＣＰＵ１０４が実行するプログラムや各種制御用データを格納したプログラムＲＯＭ１０５と、ＣＰＵ１０４がワークに用いるワークＲＡＭ１０６と、例えば共に液晶表示装置である２つの表示部１０７、及び１０８と、各表示部１０７、１０８に画像を表示させる表示ドライバー部１０９と、音声入力用のマイク１１０と、音声放音用のスピーカ１１１と、各種スイッチを有する操作部１１２と、外部からの電流を受電するためのＡＣアダプタ１１３と、充電可能な充電池（バッテリ）１１４と、各部に電流を供給する電源回路１１５と、を備えて構成されている。
【００１６】
なお、特には図示していないが、マイク１１０から出力されるアナログの音声信号はＡ／Ｄ変換器によりデジタルの音声信号に変換された後、ＣＰＵ１０４、或いはＲＦ部１０１に出力される。また、スピーカ１１１、及び不図示のイヤホン用のジャックには、Ｄ／Ａ変換器により変換されたアナログの音声信号が出力される。
【００１７】
上記２つの表示部１０７、及び１０８は、画面の大きさが異なるものである。その画面は、表示部１０７のほうが大きくなっている。このことから、表示部１０７はメイン表示部、表示部１０８はサブ表示部、とそれぞれ呼ぶことにする。
【００１８】
上記ＲＦ部１０１は、携帯電話網から送信された信号を受信し処理するものである。受信した信号は復調して、ＣＰＵ１０４、或いはスピーカ１１１、及びジャック（以降、前者のみを想定する）に出力する。電話による通話時には、その信号をスピーカ１１１に出力することにより接続先（電話がつながった電話機）からの音声を放音させる。マイク１１０からの音声信号は、変調してアンテナＡＴ１を介して送信する。インターネット接続時には、復調した信号（デジタルデータ）をＣＰＵ１０４に出力する。ＣＰＵ１０４からのデータは、変調してアンテナＡＴ１を介して送信する。
【００１９】
リーダー部１０２は、例えば非接触でＩＣタグ（ＲＦＩＤタグ）２００との間で通信を行うものである。リーダー制御部１０３は、リーダー部１０２を駆動してＩＣタグ２００に記録されたデータの読み取りを行い、ＣＰＵ１０４に読み取り結果を通知する。
【００２０】
操作部１１２は、ユーザーが操作の対象となる各種スイッチ、及び各種スイッチに対してユーザーが行った操作を検出する検出回路を備えたものである。各種スイッチの一つとして、ＩＣタグ２００の読み取りを指示するためのＩＣタグリーダースイッチ（以下「リーダースイッチ」と略記）が設けられている。
【００２１】
電源回路１１５は、ＡＣアダプタ１１３、充電池１１４の各出力を監視する。それにより、ＡＣアダプタ１１３に外部の電源（例えばコンセント）から電流が供給されているか否かを判定し、その判定結果をＣＰＵ１０４に通知する。充電池１１２ではその電圧値を検出し、ＣＰＵ１０４に通知する。
【００２２】
一方のＩＣタグ２００は、例えばループ状の形状を有するアンテナ２０１と、そのアンテナ２０１に生じた電流を整流して各部に供給する電源回路２０２と、アンテナ２０１が受信した信号を復調し、そのアンテナ２０１を介して送信するデータを変調する復変調回路２０３と、データ処理を行うＣＰＵ２０４と、送信対象とするデータを記録したメモリ２０５と、を備えて構成されている。
【００２３】
通信端末１のＣＰＵ１０４は、リーダースイッチへの操作が操作部１１２より通知された場合にリーダー制御部１０３にリーダー部１０２を駆動させる。そのリーダー部１０２を駆動させると、その通信圏内に存在するＩＣタグ２００はアンテナ２０１を介して電磁結合され、電源回路２０２が電力の各部への供給を開始する。ＩＣタグ２００と通信端末１間の通信は、例えば通信端末１から送信したコマンドに対する応答をＩＣタグ２００が通信端末１に返した後に行われる。その通信により、メモリ２０５に記録されたデータが通信端末１に送信される。
【００２４】
製品（商品）のなかには、ユーザー登録の対象となるものがある。懸賞への応募は、製品の購入者、雑誌や本などの書籍、或いは公告の閲覧者の特典として行うことがある。会員登録や製品購入の申し込みも同様にして行うことがある。このようなことから、本実施の形態では、そのような申し込みをインターネット上で行うのを支援するために、ＩＣタグ２００を商品、書籍、或いは公告に付して配布している。ここでは混乱を避けるために、ＩＣタグ２００は製品に懸賞への応募用に付されているとの前提で説明を行うこととする。このことから、ＩＣタグ２００は応募用ＩＣタグとも呼ぶことにする。
【００２５】
図２、及び図３は、リーダースイッチ処理のフローチャートである。そのスイッチをユーザーがオン（操作）して上記ＩＣタグ２００との通信を行わせた場合に実行される処理の全体的な流れを示したものである。以降、図２、及び図３に示すフローチャートを参照して、通信端末１、及びＩＣタグ２００の動作、並びにそれらの間で行われる通信の内容について詳細に説明する。それらの動作は、例えば通信端末１はＣＰＵ１０４がプログラムＲＯＭ１０５に格納されたプログラム、ＩＣタグ２００はＣＰＵ１０４がメモリ２０５に格納されたプログラムをそれぞれ実行することによって実現される。
【００２６】
先ず、ステップ１０１では、リーダースイッチへのユーザーの操作に応答して、リーダー制御部１０３にリーダー部１０２を駆動させる。続くステップ１０２では、応募用ＩＣタグ２００を認識できたか否か判定する。そのリーダー部１０２の駆動、コマンド送信により、ＩＣタグ２００が応答を返した場合、その旨がリーダー制御部１０３からＣＰＵ１０４に通知されることから、判定はＹＥＳとなってステップ１０４に移行する。そうでない場合には、判定はＮＯとなってステップ１０３に移行し、リーダースイッチがオフされたか否か判定する。そのスイッチへの操作をユーザーが解除した場合、その旨が操作部１１２から通知されることから、判定はＹＥＳとなり、ここで一連の処理を終了する。そうでない場合には、判定はＮＯとなってステップ１０１に戻る。それにより、ＩＣタグ２００を認識するか、或いはリーダースイッチへの操作をユーザーが解除するのを待つ。
【００２７】
ステップ１０４では、ＩＣタグ２００との通信を行い、メモリ２０５に記録されたデータを取得し、そのデータのなかから、応募先のＵＲＬとシリアルコードを識別する。そのＵＲＬは、応募の申し込みを受け付けるためにサイトに用意されたものである。シリアルコード（ナンバー）は、製品に付された固有の識別情報であり、ここでは応募の申込者が製品の購入者であることをサイト側で確認するために用いられる。
【００２８】
ステップ１０４に続くステップ１０５では、識別したＵＲＬ、シリアルコードを抽出してワークＲＡＭ１０６にストアし、リーダー部１０２の駆動は終了させる。次のステップ１０６では、そのＵＲＬを持つサイトへの接続要求を行う。その接続要求は、例えばＲＦ部１０１からそのＵＲＬを指定してのインターネットへの接続要求を送信させることで実現される。携帯電話網側は、その要求により交換機を介して通信端末１をインターネットと接続させ、通信端末１から指定されたＵＲＬをインターネット上に送信する。
【００２９】
ステップ１０６の次に移行するステップ１０７では、上記接続要求によりそのＵＲＬを持つサイトと接続したか否か判定する。そのサイトが通信端末１への応答を返した場合、そのデータがＲＦ部１０１からＣＰＵ１０４に渡されることから、判定はＹＥＳとなってステップ１０９に移行する。そうでない場合には、判定はＮＯとなってステップ１０８に移行し、接続が失敗したか否か判定する。その判定は、例えば接続要求を行ってから一定時間が経過するまでの間に応答を受信したか否かにより行われる。このため、その一定時間が経過した場合、判定はＹＥＳとなって上記ステップ１０１に戻り、ＩＣタグ２００との通信を行うために再度、リーダー部１０２の駆動を行う。
【００３０】
上記ＵＲＬを持つサイトは、そのＵＲＬへのアクセスを要求した端末装置に対し、応募申込用の応募フォーム（応募申込画面：マークアップ言語で記載されたデータ）を送信する。その応募フォームとは、例えば図４に示すような画面構成のものである。そのフォームでは、入力エリアとして、接続先ＵＲＬ表示用のＵＲＬエリア、シリアルコード入力用のシリアルコードエリア、氏名入力用の氏名エリア、郵便番号入力用の郵便番号エリア、住所入力用の住所エリアが配置され、アイコン（ボタン）として、応募の申し込みをキャンセルするための「キャンセル」アイコン、その申し込みのための「応募送信」アイコンが配置されている。
【００３１】
このことから、ステップ１０９では、そのサイトから応募フォームを受信する。続く図３のステップ１１０では、その画面をメイン表示部１０７に表示させる。次のステップ１１１では、ＵＲＬエリアに、例えば図２のステップ１０５でストアしたＵＲＬを表示させる。以降は、ステップ１１２でシリアルコードエリアに図２のステップ１０５でストアしたシリアルコードを表示させ、ステップ１１３で氏名エリアに文字入力位置を示すカーソルを表示させてからステップ１１４に移行する。
【００３２】
各表示部１０７、１０８に表示させる画面は、ワークＲＡＭ１０６にそれぞれ確保した描画用エリアに、プログラムＲＯＭ１０５から読み出した画像データ（画面やシンボルなど）、ＲＦ部１０１、或いはリーダー制御部１０２から送られた画像データを格納して生成される。表示内容の変更は、その全て、或いは一部を表示ドライバー部１０９に送り、表示させることで実現される。
【００３３】
ステップ１１４では、カーソルスイッチがオンされたか否か判定する。そのスイッチをユーザーが操作した場合、判定はＹＥＳとなってステップ１１５に移行し、カーソルスイッチのなかでユーザーが操作したスイッチの種類に応じてカーソルの表示位置を変更させる。その後、ステップ１１６に移行する。一方、そうでない場合には、判定はＮＯとなってそのステップ１１６に移行する。
【００３４】
ステップ１１６では、文字入力が行われたか否か判定する。ダイヤルキー等を操作してユーザーが文字入力を行った場合、判定はＹＥＳとなり、ステップ１１７でカーソルの表示位置に入力された文字を表示させ、更にステップ１１８でその表示に合わせてカーソルの表示位置を移動させた後、ステップ１１９に移行する。そうでない場合には、判定はＮＯとなってそのステップ１１９に移行する。
【００３５】
ステップ１１９では、「応募送信」アイコンがオンされたか否か判定する。そのアイコンのクリック操作をユーザーが行った場合、判定はＹＥＳとなり、ステップ１２１で図４に示す応募フォーム上で入力されたデータをサイトに送信する処理を実行してから一連の処理を終了する。そうでない場合には、判定はＮＯとなってステップ１２０に移行する。
【００３６】
ステップ１２０では、「キャンセル」アイコンがオンされたか否か判定する。そのアイコンのクリック操作をユーザーが行った場合、判定はＹＥＳとなり、ステップ１２２で応募フォームの表示をクリアして待受画面を表示させた後、一連の処理を終了する。そうでない場合には、判定はＮＯとなって上記ステップ１１４に戻る。それにより、「応募送信」「キャンセル」の何れかのアイコンに対するユーザーのクリック操作が行われるまでの間、ユーザーがデータ入力を行える状態を維持させる。
【００３７】
このように、本実施の形態では、ＩＣタグ２００にアクセスした通信端末１に、それから送信されたデータに従い、応募の申し込みを受け付けるためにサイトに用意されたＵＲＬに自動的にアクセスさせ、そのアクセス後に送信される応募フォーム上にはシリアルコードを自動的に入力させるようになっている。そのように、サイトへのアクセス、及び入力すべき必要事項のデータの入力が自動的に行われるため、ユーザーは自身の個人情報のみ入力すれば応募の申し込みをすることができる。それにより、応募の申し込みは迅速、且つ容易に行うことができる。
＜第２の実施の形態＞
上記第１の実施の形態では、通信端末１をサイトにアクセスさせることにより、そのサイトで必要事項とされるデータの入力をユーザーに要求するようになっている。これに対し、第２の実施の形態は、サイトにアクセスさせることなく、必要事項のデータをユーザーに入力させて応募の申し込みを行えるようにしたものである。
【００３８】
第２の実施の形態では、ＩＣタグ２００のメモリ２０５に、応募フォーム自体を記録させている。それにより、ＩＣタグ２００からデータを読み出した通信端末１は、インターネットとの接続を行うことなく、その応募フォームをメイン表示部１０７に表示させるようになっている。応募フォームの取得のためにインターネットとの接続は行わないことから、ＵＲＬの代わりにデータの送信先アドレスをメモリ２０５に記録させている。このようなことから、図２、及び図３に示すフローチャートは、第１の実施の形態から以下のように異なっている。応募フォームには図６に示すようにＵＲＬエリアが省かれたものとなっている。
【００３９】
図５は、第２の実施の形態におけるリーダースイッチ処理のフローチャートである。そのフローチャートは、図２に示す部分に対応する部分のみを抜粋したものである。第１の実施の形態から異なっていない処理ステップには同一の符号を付して、その第１の実施の形態から異なる部分についてのみ詳細に説明する。
【００４０】
第２の実施の形態では、ステップ１０２の判定がＹＥＳとなって移行するステップ２０１では、ＩＣタグ２００との通信を行い、メモリ２０５に記録されたデータを取得し、そのデータのなかから、送信先のアドレス、シリアルコード、及び応募フォームを識別する。続くステップ２０２では、識別したアドレス、シリアルコード、及び応募フォームを抽出してワークＲＡＭ１０６にストアし、リーダー部１０２の駆動は終了させる。その後は図３のステップ１１０に移行する。
【００４１】
図３のステップ１１０以降では、ステップ１１１、１２１が第１の実施の形態から異なっている。具体的には、第２の実施の形態ではＵＲＬエリアが存在しないことから（図６参照）、ステップ１１０の処理の実行後はステップ１１２に移行するようになっている。ステップ１２１では、インターネットとの接続要求を行い、インターネットと接続した後、応募フォーム上のデータをステップ２０２でストアしたアドレス宛に送信するようになっている。それにより、ユーザーが応募の申し込みを実際に行う場合にのみ、インターネットとの接続を行っている。
【００４２】
そのように応募フォームをＩＣタグ２００に用意した場合、通信端末１が携帯電話網を介して通信するデータ量は第１の実施の形態と比較して少なくなる。その回数自体も抑えられる。これらのことから、通信にかかるコストはより抑えられ、申し込み自体もより迅速に行えるようになる。
【００４３】
なお、本実施の形態（第１、及び第２の実施の形態）では、シリアルコードの入力、及び申し込みのためサイトへのアクセス、或いは送信先の設定の両方をＩＣタグ２００に記録されたデータにより自動的に行うようになっているが、そのうちの一方のみを行わせるようにしても良い。そのように支援しても、申し込みを行うためのユーザーの作業量は軽減されることとなる。また、ＩＣタグ２００の読み取りにより、申し込みを行うための準備を行うようになっているが、その準備を行うか否かユーザーに問い合わせて、その結果に応じて準備を行うようにしても良い。このようなことから、通信端末１（データ処理装置）が実行可能なプログラムをＩＣタグ２００に併せて記録させても良い。
【００４４】
上述したようなデータをメモリ２０５に記録させたＩＣタグ２００は、アンケートの回答、或いはメーカーへの問い合わせや要望（ここでは購入した製品のクレームを含む）、などを行うための用途に用いても良い。
【図面の簡単な説明】
【００４５】
【図１】通信ネットワークと接続可能なデータ処理装置、及びそのデータ処理装置がアクセス可能なＩＣタグの構成図である。
【図２】ＩＣタグリーダースイッチ処理のフローチャートである。
【図３】ＩＣタグリーダースイッチ処理のフローチャートである（続き）。
【図４】応募フォームの画面構成を説明する図である。
【図５】ＩＣタグリーダースイッチ処理のフローチャートである（第２の実施の形態：抜粋）。
【図６】応募フォームの画面構成を説明する図である（第２の実施の形態）。
【符号の説明】
【００４６】
１０１    ＲＦ部
１０２    リーダー部
１０３    ＩＣタグリーダー制御部
１０４、２０４    ＣＰＵ
１０５    プログラムＲＯＭ
１０６    ワークＲＡＭ
１０７、１０８    表示部
１０９    表示ドライバー部
１１２    操作部
２００    ＩＣタグ
２０１    アンテナ
２０２    電源回路
２０３    変復調回路
２０５    メモリ
【図１】
2005285068.tif 000003
【図２】
2005285068.tif 000004
【図３】
2005285068.tif 000005
【図４】
2005285068.tif 000006
【図５】
2005285068.tif 000007
【図６】
2005285068.tif 000008